【事件の表示】
　特許第５７６４８５１号発明「光吸収組成物及びそれよりなる光吸収装置」の特許異議申立事件について、次のとおり決定する。
【結　論】
　特許第５７６４８５１号の特許請求の範囲を訂正請求書に添付された特許請求の範囲のとおり，訂正することを認める。
　特許第５７６４８５１号の請求項１ないし３，５，６に係る特許を維持する。
　特許第５７６４８５１号の請求項４に係る特許に対する申立てを却下する。
【理　由】
第１　主な手続の経緯等 
　
　　特許第５７６４８５１号（設定登録時の請求項の数は６。以下，「本件特許」という。）は，平成２５年１０月２８日を出願日とする特許出願に係るものであって，平成２７年６月２６日に設定登録された。 
　　特許異議申立人　松本日出夫は，平成２８年２月１７日，本件特許の請求項１ないし６に係る発明についての特許に対して特許異議の申立てをした。
　　当審において，平成２８年４月２５日付けで取消理由を通知したところ，特許権者は，同年７月７日付けで，訂正請求書（以下，当該訂正請求書による訂正を「本件訂正請求」という。）及び意見書を提出した。 
 　 
第２　訂正の適否についての判断
　
　１　訂正の内容
　
　　本件訂正請求による訂正の内容は以下のア，イのとおりである。
　
　　訂正事項ア　
　　特許請求の範囲の請求項４を削除する。
　
　　訂正事項イ　
　　特許請求の範囲の請求項６に記載の「請求項１ないし請求項５のいずれか一項に記載の」を，「請求項１ないし請求項３，及び請求項５のいずれか一項に記載の」に訂正する。
　
　２　訂正の目的の適否，一群の請求項，新規事項の有無，及び特許請求の範囲の拡張・変更の存否
　
　（１）　訂正事項アについて
　
　　訂正事項アは，特許請求の範囲の請求項４を削除するというものであるから，当該訂正事項アは，特許法第１２０条の５第２項ただし書第１号に規定する特許請求の範囲の減縮を目的とするものである。
　　そして，当該訂正事項アは，新規事項の追加に該当せず，また，実質上特許請求の範囲を拡張し，又は変更するものではない。
　
　（２）　訂正事項イについて
　
　　訂正事項イは，訂正前の特許請求の範囲の請求項６が請求項４を引用していたものを，訂正事項アにともなって、当該請求項４を引用しないものとするのであるから，当該訂正事項イは，特許法第１２０条の５第２項ただし書第１号に規定する特許請求の範囲の減縮を目的とするものである。
　　そして，当該訂正事項イは，新規事項の追加に該当せず，また，実質上特許請求の範囲を拡張し，又は変更するものではない。
　
　（３）　一群の請求項について
　
　　上記訂正事項ア，イの訂正は，一群の請求項ごとに請求されたものである。
　　
　３　むすび
　
　　以上のとおりであるから，本件訂正請求による訂正は特許法第１２０条の５第２項第１号に掲げる事項を目的とするものであり，かつ，同条第４項，及び，同条第９項において準用する同法第１２６条第５項ないし第６項の規定に適合するので，訂正請求書に添付された特許請求の範囲のとおり，訂正することを認める。
　
第３　本件発明
　
　　上記第２のとおり，本件訂正請求による訂正は認められるので，本件特許の請求項１ないし６に係る発明は，平成２８年７月７日付け訂正請求書に添付された特許請求の範囲の請求項１ないし６に記載された事項により特定される以下に記載のとおりのものである。 
　
「【請求項１】
　光吸収組成物であって、
　ポリマーと、光吸収微粒子構成物とからなる混合物を溶融押出成型することにより製造され、
　前記光吸収微粒子構成物は、前記光吸収組成物の総重量に基づき、０．０５重量パーセントないし２０重量パーセントを占める少なくとも一つの光吸収微粒子と、前記少なくとも一つの光吸収微粒子に被覆される分散剤とを有し、
　前記光吸収微粒子構成物は、１０ナノメートルないし８００ナノメートルの平均粒径を有する粒状を呈し、
　前記光吸収微粒子は、アンチモン錫酸化物を有し、
　前記分散剤は、前記光吸収組成物の総重量に基づき、０．０５重量パーセントないし２０重量パーセントを占め、
　前記分散剤は、１０００Ｄａないし２００００Ｄａの分子量を有すると共に、ヒドロキシル基、エポキシ基、カルボン酸基、アミノ基からなる群より選択される一の官能基を有し、
　前記ポリマーは、ポリエチレンテレフタレート、ポリエチレンテレフタレート、ポリカーボネート、及びその組み合わせからなる群より選択されるものを有することを特徴とする光吸収組成物。
【請求項２】
　前記光吸収微粒子構成物は、前記ポリマーに分散されることにより前記光吸収組成物を構成することを特徴とする請求項１に記載の光吸収組成物。
【請求項３】
　前記分散剤は、ポリオール、ポリエーテルポリオール、ポリエステルポリオール、ポリエステル - ポリシロキサン、ポリアミドワックス、酸化されたポリオレフィンワックス、ポリエステルワックス、ポリエチレングリコール、ポリカプロラクトンジオール、ポリカーボネートジオール、ポリカプロラクトン - ポリシロキサン、酸化ポリエチレンワックス、ポリエチレン-酢酸ビニルワックス、及びその組み合わせからなる群より選択されるものを有することを特徴とする請求項１に記載の光吸収組成物。
【請求項４】　（削除）
【請求項５】
　さらに、前記光吸収組成物の総重量に基づき、０．１重量パーセントないし１０重量パーセントを占めると共に、ステアリン酸、ステアリン酸、ポリエチレンワックス、酸化ポリエチレンワックス、ポリエチレン-酢酸ビニルワックス、及びその組み合わせからなる群より選択されるものを有するスリップ剤を有し、
　該スリップ剤と、前記ポリマーと、前記光吸収微粒子構成物とからなる混合物を溶融押出成型することにより製造されることを特徴とする請求項１に記載の光吸収組成物。
【請求項６】
　光吸収装置であって、
　請求項１ないし請求項３，及び請求項５のいずれか一項に記載の光吸収組成物から製造され、
　前記光吸収微粒子構成物は、１０ナノメートルないし２００ナノメートルの平均粒径を有する粒状を呈すると共に、前記ポリマーに分散されることにより前記光吸収組成物を構成し、
　前記光吸収装置の可視光線透過率と近赤外線遮断率との和と、１００との積は、１２４より大きいかまたは等しく、
　前記光吸収装置は、光吸収パネル、光吸収薄膜、または光吸収繊維であることを特徴とする光吸収装置。」 
 　　 
第４　取消理由の概要
　
　　平成２８年４月２５日付けで通知した取消理由は，本件特許の請求項４及び請求項４を引用する請求項６に係る特許は，特許法第３６条第６項第２号に規定する要件を満たしていない特許出願に対してなされたものであるから，同法第１１３条第４号に該当し，取り消すべきものであるというものである。
　
第５　合議体の判断
　
　　本件訂正請求により，取消理由の対象となる請求項が削除されたので，上記取消理由には理由がない。
　
第６　むすび 
　
　　以上のとおりであるから，取消理由によっては，本件特許の請求項１ないし３，５，６に係る特許を取り消すことはできない。
　　また，他に本件特許の請求項１ないし３，５，６に係る特許を取り消すべき理由を発見しない。
　　加えて，特許異議の申立ての対象であった本件特許の請求項４は削除された。
　　よって，結論のとおり決定する。
 
【異議決定日】
平成２８年８月３日（２０１６．８．３）
【訂正の要旨】
審決（決定）の【理由】欄参照。
（５７）【特許請求の範囲】
　【請求項１】
　光吸収組成物であって、
　ポリマーと、光吸収微粒子構成物とからなる混合物を溶融押出成型することにより製造され、
　前記光吸収微粒子構成物は、前記光吸収組成物の総重量に基づき、０．０５重量パーセントないし２０重量パーセントを占める少なくとも一つの光吸収微粒子と、前記少なくとも一つの光吸収微粒子に被覆される分散剤とを有し、
　前記光吸収微粒子構成物は、１０ナノメートルないし８００ナノメートルの平均粒径を有する粒状を呈し、
　前記光吸収微粒子は、アンチモン錫酸化物を有し、
　前記分散剤は、前記光吸収組成物の総重量に基づき、０．０５重量パーセントないし２０重量パーセントを占め、
　前記分散剤は、１０００Ｄａないし２００００Ｄａの分子量を有すると共に、ヒドロキシル基、エポキシ基、カルボン酸基、アミノ基からなる群より選択される一の官能基を有し、
　前記ポリマーは、ポリエチレンテレフタレート、ポリエチレンテレフタレート、ポリカーボネート、及びその組み合わせからなる群より選択されるものを有することを特徴とする光吸収組成物。
　【請求項２】
　前記光吸収微粒子構成物は、前記ポリマーに分散されることにより前記光吸収組成物を構成することを特徴とする請求項１に記載の光吸収組成物。
　【請求項３】
　前記分散剤は、ポリオール、ポリエーテルポリオール、ポリエステルポリオール、ポリエステル‐ポリシロキサン、ポリアミドワックス、酸化されたポリオレフィンワックス、ポリエステルワックス、ポリエチレングリコール、ポリカプロラクトンジオール、ポリカーボネートジオール、ポリカプロラクトン‐ポリシロキサン、酸化ポリエチレンワックス、ポリエチレン‐酢酸ビニルワックス、及びその組み合わせからなる群より選択されるものを有することを特徴とする請求項１に記載の光吸収組成物。
　【請求項４】　
（削除）
　【請求項５】
　さらに、前記光吸収組成物の総重量に基づき、０．１重量パーセントないし１０重量パーセントを占めると共に、ステアリン酸、ステアリン酸、ポリエチレンワックス、酸化ポリエチレンワックス、ポリエチレン‐酢酸ビニルワックス、及びその組み合わせからなる群より選択されるものを有するスリップ剤を有し、
　該スリップ剤と、前記ポリマーと、前記光吸収微粒子構成物とからなる混合物を溶融押出成型することにより製造されることを特徴とする請求項１に記載の光吸収組成物。
　【請求項６】
　光吸収装置であって、
　請求項１ないし
請求項３、及び
　前記光吸収微粒子構成物は、１０ナノメートルないし２００ナノメートルの平均粒径を有する粒状を呈すると共に、前記ポリマーに分散されることにより前記光吸収組成物を構成し、
　前記光吸収装置の可視光線透過率と近赤外線遮断率との和と、１００との積は、１２４より大きいかまたは等しく、
　前記光吸収装置は、光吸収パネル、光吸収薄膜、または光吸収繊維であることを特徴とする光吸収装置。